(57)【要約】【課題】和紙の優れた風合いを損ねることなく、所望する絵図や文様などを鮮明に浮き上がらせ、装飾材や壁紙など広範な分野に活用できる漆和紙と、その製造方法を提供すること。【解決手段】漆和紙は、和紙の表面に、所望する絵図や文様を印刷してなる印刷面を有しかつ、該印刷面の上に漆処理してなる漆層を有しているところに特徴があり、前記和紙が柿渋で処理されたり、これら漆和紙の裏面に裏紙が裏打ちされる。漆和紙の製造方法は、和紙の表面に所望する絵図や文様を印刷する工程とついでこの印刷面を漆処理する工程とを有しているところに特徴があり、前記各工程がインライン化されて連続機械生産されることがある。【選択図】なし【特許請求の範囲】
【請求項１】
和紙の表面に所望する絵図や文様を印刷する工程と、ついでこの印刷面を漆にて処理する工程とを有することを特徴とする、漆和紙の製造方法。
【請求項２】
二層漉きすることによって備えた所望する絵図や文様を有する和紙を、漆にて処理する工程を有することを特徴とする、漆和紙の製造方法。
【請求項３】
前記各工程がインライン化されていることを特徴とする、請求項１または２記載の漆和紙の製造方法。
【請求項４】
和紙の表面に所望する絵図や文様を印刷してなる印刷面に、該印刷面上を漆処理してなる漆層が形成されていることを特徴とする漆和紙。
【請求項５】
二層漉きすることによって所望する絵図や文様を備えた和紙の上面に、漆処理してなる漆層が形成されていることを特徴とする漆和紙。
【請求項６】
前記漆和紙の裏面に、裏紙が裏打ちされていることを特徴とする、請求項４または５に記載の漆和紙。
【発明の詳細な説明】
【技術分野】
【０００１】本発明は、和紙の優れた風合いを損ねることなく、所望する絵図や文様などを鮮明に浮き上がらせ、装飾材や壁紙など広範な分野に活用できる漆和紙と、その製造方法に関するものである。
【背景技術】
【０００２】古くから、和紙に強度を付与したり、独特な風合いを持った和紙に改質することを目的として、和紙に漆処理が施されてきた。和紙を漆処理する方法としては、刷毛で漆を塗りつけて和紙表面を処理する刷毛塗り、漆を布帛に含侵させて和紙表面を処理する拭き塗り、漆を和紙表面に直接噴きつけ処理するスプレー法などが周知である。【０００３】しかしながら、絵図、柄または文様つきの漆和紙を作製する場合には、手作業で、絵図、柄または文様などを一つ一つ丹念に手書きしたり、例えば型地紙などの型紙を和紙上に配してその上から漆を噴霧する過程を繰り返したり、あるいは、印を使用して手作業で柄部分または文様部分を印影としてプリントする必要があった。そのため、これらは、工芸品としての優位性を有しているものの、同一規格の漆和紙をインラインで連続的に機械製造できないため、高度に熟練された技術者の養成が必要となり、その生産性も悪いという課題があった。
【発明の開示】
【発明が解決しようとする課題】
【０００４】本発明は、上記の問題を解決するためになされたものであり、和紙の優れた風合いを損ねることなく、所望する絵図や文様などを鮮明に浮き上がらせ、装飾材や壁紙など広範な分野に活用できる漆和紙と、その製造方法を提供することを目的としている。
【課題を解決するための手段】
【０００５】請求項１に記載の漆和紙の製造方法は、和紙の表面に所望する絵図や文様を印刷する工程と、ついでこの印刷面を漆にて処理する工程とを有していることを特徴とする。【０００６】請求項２に記載の漆和紙の製造方法は、二層漉きすることによって備えた所望する絵図や文様を有する和紙を、漆にて処理する工程を有していることを特徴とする。【０００７】請求項３に記載の漆和紙の製造方法は、請求項１または２記載の漆和紙の製造方法において、前記各工程がインライン化されていることを特徴をする。【０００８】請求項４に記載の漆和紙は、和紙の表面に所望する絵図や文様を印刷してなる印刷面に、該印刷面上を漆処理してなる漆層が形成されていることを特徴とする。【０００９】請求項５に記載の漆和紙は、二層漉きすることによって所望する絵図や文様を備えた和紙の上面に、漆処理してなる漆層が形成されていることを特徴とする。【００１０】請求項６に記載の漆和紙は、請求項４または５に記載の漆和紙において、前記漆和紙の裏面に、裏紙が裏打ちされていることを特徴とする。
【発明の効果】
【００１１】請求項１に記載の製造方法によれば、和紙の表面に所望する絵図や文様を印刷した後、この印刷面を漆で処理するため、絵図や文様などを手書きで写し取るための高度な技術習得の必要がなく、絵図や文様部分だけを色濃くもしくは白抜き（薄抜き）状態により鮮明に浮き上がらせた（柄入れした）漆和紙や、濃淡の異なる風合い豊かな漆和紙などを、比較的短時間で簡単かつ確実に作製できる。【００１２】請求項２に記載の製造方法によれば、原材として、所望する絵図や文様を有する例えば透かし和紙のような二層漉き和紙が使用されているので、透かし部分のみを色濃くもしくは白抜き（薄抜き）状態でより鮮明に浮き上がらせたり（柄入れしたり）、濃淡の異なる風合い豊かな漆和紙が作製できる。【００１３】請求項３に記載の製造方法によれば、前記各工程がインラインン化されているため、上記請求項１または２に記載の製造方法の効果に加えて、原材として例えば機械漉きロール状の長尺和紙を使用することにより、絵図や文様などを柄入れした長尺状の漆和紙などとして連続生産でき、生産効率をさらに向上させることができる。【００１４】以上、本発明に係る漆和紙の製造方法によれば、例えば工芸品などを何ら遜色のないそして今まで作製し難かった大判ヤ長尺の漆和紙であっても、簡単かつ再現性よく効率的に繰り返し作製でき、また、所望する寸法形状の様々な形状に自在に裁断加工できため、同一規格、同一品質の漆和紙を作製でき、廉価に提供できる。【００１５】つぎに、請求項４に記載の漆和紙は、和紙の表面に、所望する絵図や文様などの印刷面を有し該印刷面の上に漆層を有しているため、絵図や文様部分だけを色濃くもしくは白抜き（薄抜き）状態でより鮮明に浮き上がらせたり（柄入れしたり）、濃淡の異なる風合い豊かなものとなる。【００１６】請求項５の漆和紙は、所望する絵図や文様を有する例えば透かし和紙のような二層漉き和紙が原材として使用されているので、透かし部分のみを色濃くもしくは白抜き（薄抜き）状態でより鮮明に浮き上がらせたり（柄入れしたり）、濃淡の異なる風合い豊かな漆和紙となる。【００１７】請求項６に記載の漆和紙は、上記請求項５から７のいずれか記載の漆和紙の作用に加えて、漆和紙に裏紙が裏打ちされているため、例えば壁紙などとして使用する場合に簡便かつ綺麗に敷設できる。
【発明を実施するための最良の形態】
【００１８】以下、本発明の実施の形態（実施例）について説明する。
【実施例１】
【００１９】実施例１の漆和紙は、和紙の片面に印刷層を有し、該印刷層の上にさらに漆層を有する３層構造からなり、和紙の片面に所望する図絵や文様などを印刷した後に、印刷面の全面を漆塗り処理することにより作製されたものである。【００２０】前記和紙は、コウゾ、ミツマタ、ガンピ、麻、クワなどの天然植物繊維を公知の抄造方法にて抄造したものであり、手漉きであっても機械漉きしてロール上に巻き取った和紙であっても構わない。【００２１】前記印刷層は、大豆インクやミルクインクを含む様々な水性インク、各種の油性インクを使用して、和紙の片面に所望する絵図や文様などとして印刷されたものであり、モノクロナールであっても多色に彩色されていてもよく、グラビヤ印刷やプリント印刷、オフセット印刷、シルク印刷法などのいわゆる公知プリント方法によって実施できる。また、前記所望する絵図や文様などは、金属蒸着法（例えば金蒸着、銀蒸着、プラチナ蒸着、アルミ蒸着など）によって備えることができ、これらも本実施例に係る印刷層に含めるものとする。【００２２】上記印刷面に塗布する漆の種類もまたこれを限定するものではなく、荒味漆、荒味漆から異物を除去した生漆、生漆をさらに精製した透漆であってもよく、また、透漆に乾性油や樹脂（松脂や合成樹脂など）を補助剤として加えたものや、透漆に顔料（絵の具やレーキ顔料など）を加えたものであっても良い。【００２３】また、漆の塗り方を限定するものではなく、刷毛塗り、スプレー塗り、静電塗装、ロール塗り、シルクスクリーンなどで実施できる。【００２４】つぎに、前記印刷工程と漆塗り工程とをインライン化することによって、漆和紙を連続機械生産することができる。より詳しくは、例えば長尺の和紙を原材として使用し、上記公知印刷法によって絵図や文様などを印刷した後（印刷工程）、和紙の印刷面に対して、和紙幅より幅狭に形成された塗り刃部分を当接させ、和紙にテンションをかけながら当該和紙を例えば上方から下方に向けて連続移動させる（漆塗り工程）ことで達成するように構成される。なお、印刷工程の前に、後述する柿渋を塗って乾燥する工程を、インライン化することもできる。【００２５】上記塗り刃部分は、その上面に漆槽から漆を連続供給するように備えられている。漆塗りする際の塗り漆の量（漆の厚さに相当する）は、和紙に付加するテンションの強弱によってすなわち和紙面と塗り刃部分との隙間間隔を調節することによって、自在に調整することができるようになっている。【００２６】塗り刃部分の原材などは、耐久性や、和紙との当接部分を一直線状に形成するという観点において板状のステンレス製であることが好ましいが、これらを限定するものではなく、例えば檜や楡などの木質系材料であっても構わない。【００２７】上記漆和紙を例えば壁紙などとして使用する場合には、その裏面に剥離紙のような裏紙を裏打ちすることが好ましく、例えば漆塗り工程の後工程に組み入れてインライン化することができる。【００２８】以上、実施例１に係る漆和紙の製造方法によれば、従来長期間かけて丹念に手書きしていた絵図や文様などを印刷することによって柄入れするため、これら絵図や文様などがボヤケたり滲んだりすることもなく、きわめて鮮明に描き込み、そして、これらを浮き上がらせることができる。また、必要ならば柿渋処理工程、印刷工程、漆塗り工程、必要ならば裏紙の裏打ち工程をこの順序にインライン化することができるため、熟練者が、従来丹念に手書きして絵図や文様などを描きこむ厄介な漆塗り作業を、短時間で再現性よく実施することができる。また、得られた漆和紙はこれら手作りの工芸品と何ら遜色なく、また、大判や長尺の漆和紙として機械的に連続作製できるため、所望する寸法形状の様々な形状に自在に裁つことによって同一規格、同一品質の漆和紙として多量に作製でき、廉価に提供できることが解った。
【実施例２】
【００２９】実施例２の漆和紙は、所謂二層漉き和紙（例えば絵図や文様などを透かしとして漉き込んだ和紙）に対して、上記した漆塗り工程すなわち、和紙幅より幅狭に形成された塗り刃部分を当接させ、和紙にテンションをかけながら当該和紙を例えば上方から下方に向けて連続移動させることで作製されたものである。【００３０】なお、上記二層漉き和紙の漆塗り工程についで裏紙を裏打ちする工程を加えることができること、および、これら各工程をインライン化して連続機械生産することができることなどは、上述した通りである。【００３１】実施例２の漆和紙およびその製造方法によれば、実施例１の漆和紙およびその製造方法で得られる上記各効果と実質的に同一の効果を奏することが解った。
【産業上の利用可能性】
【００３２】本発明の漆和紙は、装身具、文房具、宝石箱や化粧箱、印鑑入れ、家具や鞄などの表面装飾材、壁紙、包装紙や紙バッグ、額装用鑑賞絵画、または店舗等の照明シェード等の演出小物にも用いることができる。